(57)【特許請求の範囲】
【請求項１】
互いに向き合う面の縦方向に前後２列に設けられた複数の側板係止部を有する少なくとも２枚の側板と、前後２列の側板係止部と対応する位置に設けられた棚板係止部を左右端部近傍に有する少なくとも１枚の棚板と、側板係止部に着脱自在に結合又は係合する一方、棚板係止部に係合又は結合して側板の所定位置に棚板を架設する係止部材とを備えた書架において、側板係止部が下方に向かう空間部をその内側に有する長方形状の開口であり、棚板係止部が上方に向かう空間部を有する開口であり、係止部材が側板係止部の開口と係合する部分と、棚板係止部の開口と係合する部分とからなる断面略Ｎ字型の係止部材であり、当該係止部材の側板係止部の開口と係合する部分の幅が、当該係止部材の棚板係止部の開口と係合する部分の幅よりも狭く、かつ、前記側板係止部の開口の側板前後方向の幅よりも狭く形成されており、棚板を側板に対し前上がり又は前下がりに斜めに架設したときに、前記係止部材が側板係止部の開口と係合した状態のまま、棚板の傾斜角度に追従して、回転して斜めに傾くことを特徴とする直立型・傾斜型兼用書架。
【請求項２】
棚板が所定の位置に棚板面から略直角に立ち上がる背部を有している請求項１記載の直立型・傾斜型兼用書架。
【発明の詳細な説明】
【技術分野】
【０００１】
本発明は、簡単な操作で直立型と傾斜型とを切り替えることができる直立型・傾斜型兼用書架に関する。
【背景技術】
【０００２】
従来、図書館などに設置される書架にあっては、閲覧者が本の背表紙を見易いように、例えば、図９に示すような書架下段の棚板を手前上がりに傾斜させた傾斜型書架が利用されている。しかしながら従来の傾斜型書架は、書棚を手前上がりに傾斜させる必要性から書架底部の幅が広がっており、設置スペースが大きくなる上に、通路幅が狭くなり、特に車椅子などの通行の妨げとなるばかりでなく、書架幅が上下同じである直立型書架と並置することができないという欠点を有している。
【０００３】
このような従来の傾斜型書架の欠点を解消すべく、特許文献１においては、書架棚板の両端部における下面の前部及び後部に、前後方向の幅を互いに異ならせた左右方向を向く凹溝を設け、この前後の凹溝を、書架側板に上下位置変更可能に係着される棚受け具に載置するようにした書架が提案されている。この書架によれば、側板に棚受け具を前後同じ高さに設置したり、前後の高さを異ならせて設置し、その上に書架棚板を載置することによって、設置スペースを大きくすることなく、左右の側板間に棚板を水平状態と前下がり又は前上がりの傾斜状態のいずれの状態でも架設できるとされている。
【０００４】
しかしながら、本発明者が検討したところによれば、この特許文献１において提案されている書架においては、棚板を傾斜させた場合にもたらされる図書等の傾きに関しては全く考慮が払われておらず、傾斜した書棚に載置された図書等の上端角部が書架奥の壁面に当接し、図書等が損傷し易いという欠点があることが分かった。しかも、この特許文献１において提案されている書架においては、棚板の下面に設けられた凹溝を書架側板に係着される棚受け具上に載置するようにしているので、凹溝の前後方向の幅を前部の凹溝と後部の凹溝とで異ならせる必要があり、棚板の加工が繁雑になるという不都合がある。
【０００５】
【特許文献１】特開平８−１９１７２４号公報
【発明の開示】
【発明が解決しようとする課題】
【０００６】
本発明は、上述のような従来の書架の問題点を解決するために為されたもので、載置される図書等が損傷を受ける恐れがなく、しかも容易に直立型と傾斜型とを切り換えることができる直立型・傾斜型兼用書架を提供することを課題とするものである。
【課題を解決するための手段】
【０００７】
本発明者は、上記課題を解決すべく検討を重ねた結果、書架の構造を、棚板奥行き後端部から書架奥行き後端部までの長さを十分に確保することができる構造としておくことにより、書架を直立型から傾斜型へと切り替えて、棚板を手前上がりに傾斜させた場合でも、棚板上に載置された図書等の後方上端角部が書架奥行き後端部の壁面等に接触しないようにすることができることを見出して本発明を完成した。
【０００８】
すなわち、本発明は、互いに向き合う面の縦方向に前後２列に設けられた複数の側板係止部を有する少なくとも２枚の側板と、前後２列の側板係止部と対応する位置に設けられた棚板係止部を左右端部近傍に有する少なくとも１枚の棚板と、側板係止部に着脱自在に結合又は係合する一方、棚板係止部に係合又は結合して側板の所定位置に棚板を架設する係止部材とを備えた書架において、前列の側板係止部と後列の側板係止部間の水平方向の距離をｗ、複数の側板係止部間のピッチをｄ、棚板上に載置が想定される対象物の縦方向の長さをＬとして、棚板を水平状態に側板に架設したときの棚板奥行き後端部から書架奥行き後端部までの長さＸが（ｄ／ｗ）×Ｌ以上であることを特徴とする直立型・傾斜型兼用書架を提供することにより、上記の課題を解決するものである。
【０００９】
上記のような構成とすれば、係止部材による棚板の側板への係止位置を棚板の前後で同じに揃えたり、棚板後方の係止位置を下方にずらすか、棚板前方の係止位置を上方にずらしたりすることによって、直立型書架と傾斜型書架との切り替えを簡単に行うことができるばかりでなく、棚板を前上がりに架設して、図書等が後方に向かって傾いた状態で棚板上に載置されても、書架の奥行きには余裕をもって十分な距離が確保されているので、図書等の後方上端角部が書架の奥行き方向に存在する壁面乃至は他の図書等に当接することがなく、図書等が損傷を受ける恐れがない。
【００１０】
また、本発明の直立型・傾斜型兼用書架において、棚板として所定位置に棚板面から略直角に立ち上がる背部を有している棚板を使用すれば、棚板を前上がりに架設しても、載置された図書等が棚板から後方に落下することがない上に、棚板の奥行き長さを所定値に規制することが可能となる。更には、背部のある側を手前にして、棚板を前下がりに架設すれば、棚板上に図書等を平置きする展示用の書架としても利用することができる。この場合であっても、本発明の直立型・傾斜型兼用書架においては、書架の奥行きが通常のものよりも有意に長いので、図書等を棚板上に縦、すなわち、図書等の上下方向が書架の前後方向となるように平置きしても、図書等の上端が書架奥行き方向に存在する壁面乃至は他の図書等に当接することがないという利点がある。背部が設けられる位置は、通常、棚板後端部ないしはその近傍であるが、場合によっては後端部よりも棚板手前側に設けることもできる。なお、本明細書において、「前」「後」とは、書架を図書等を出し入れする正面から見て、それぞれ、手前側と奥側を指し、「左」「右」とは同じく書架を図書等を出し入れする正面から見て、それぞれ、左右の方向を指すものとする。
【００１１】
本発明の直立型・傾斜型兼用書架においては、棚板を側板の所定位置に架設する手段としては、それが棚板を前上がり状態又は水平状態に側板間の適宜の位置に架設できるものである限り、どのような構造のものを用いても良いが、側板係止部を下方に向かう空間部をその内側に有する開口とし、棚板係止部を上方に向かう空間部を有する開口とし、係止部材を側板係止部の開口と係合する部分と、棚板係止部の開口と係合する部分とを備えた断面略Ｎ字型の係止部材とすれば、水平状態及び前上がり状態のいずれの状態においても棚板を側板所定位置に確実に保持、架設することが可能であり、しかも、棚板係止部の開口の棚板前後方向の幅を、棚板の前部に設けられた開口と後部に設けられた開口とで異ならせる必要がないという利点がある。
【００１２】
本発明の直立型・傾斜型兼用書架に載置して並べられる対象は、主として定期刊行物、単行本、文庫本、辞典、辞書、写真集、画集、地図、雑誌等の図書類であるが、決してそれら図書類に限られるものではなく、その他、カタログ、パンフレット、その他の印刷物、資料、ファイル、スクラップブック、レコード、ビデオテープ、ＣＤ、ＭＤ、ＬＤ、ＤＶＤ、フロッピィーディスク、ＭＯ、その他の記憶媒体、箱、商品、容器等、棚上に並べることができるものであれば全てが対象となるものである。従って、本発明の直立型・傾斜型兼用書架が使用される場所も、図書館や図書室に限られず、書庫、書店、ＣＤ販売店、ＤＶＤ販売店、レコード店、レンタルショップ、住宅、事務所、倉庫等が含まれ、その利用形態も書架としてだけだはなく、陳列棚、整理棚、収容棚等としての利用も当然に含まれる。
【発明の効果】
【００１３】
本発明の直立型・傾斜型兼用書架は、直立型書架と傾斜型書架との切り替えを簡単に行うことができるばかりでなく、棚板を前上がりに架設した場合でも、図書等の後方上端角部が書架の奥行き方向に存在する壁面乃至は他の図書等に当接することがなく、図書等が損傷を受ける恐れがない上に、棚板の前後を逆にして前下がりに架設すれば、図書等を平置きする展示用の書架としても使用できるという利点がある。
【発明を実施するための最良の形態】
【００１４】
以下、図面を用いて本発明を詳細に説明するが、本発明が、これら図面に示さ
れたものに限られる訳ではない。
【００１５】
図１は、本発明の書架の一例を示す斜視図である。図１において、１は本発明の書架であり、書架１は、２枚の側板２ａ、２ｂ、底板３、天板４、棚板５、５、背板６から構成されている。図示の例では、棚板は２枚しか示されていないけれども、３枚以上の適宜の枚数であっても、また、１枚であっても良い。側板２ａ、２ｂの互いに向き合う面には、側板２ａ、２ｂの縦方向に前後２列に側板係止部７ａ、７ｂが設けられている。この側板係止部７ａ、７ｂは、後述するように、適宜の係止部材を適宜の位置に結合又は係合させることにより、棚板５、５を水平状態又は手前上がり状態に架設するものである。８、８は棚板５、５の棚板面から略直角に立ち上がる背部である。本例においては、側板２ａ、２ｂ、及び棚板５、５、底板３、天板４、背板６は、木材によって作成されているが、本発明の書架１を構成する材料は木材に限られず、スチール、真鍮、銅などの金属、プラスチック、あるいはそれらを適宜組み合わせたものなど、任意の材料で作成することができる。
【００１６】
図２は棚板２ａの一部を拡大して示す図である。図から明らかなように、複数の側板係止部７ａ、７ｂは、側板２ａの内側面に縦方向に一定のピッチｄを保って、書架前後方向に２列、互いに同じ高さとなるように複数設けられている。この例においては、側板係止部７ａ、７ｂの縦方向のピッチｄの長さは側板２ａ、２ｂの縦方向全長にわたり同じ一定値であるが、場合によっては、ピッチｄの長さは側板２ａ、２ｂの縦方向に沿って分割された領域ごとに異なっていても良い。
【００１７】
側板２ａ、２ｂは既述のとおり木材によって形成されており、側板係止部７ａは、図３にその断面を示すように、側板２ａの内側を所定の大きさに所定間隔で一部削り取り、凹所を形成した上に、開口部１２ａを所定ピッチｄで備えた長尺状の金具９ａを取り付けることによって形成されている。その結果、側板係止部７ａは、下方に向かう空間部Ｓをその内側に有する開口１２ａとして形成されている。後列の側板係止部７ｂに関しても同様であり、図示はしないけれども、木質の側板２ａの内側に所定ピッチで形成された凹所の上に開口部１２ｂを所定ピッチｄで備えた長尺状の金具９ｂを取り付けることによって、下方に向かう空間部Ｓをその内側に有する開口１２ｂとして形成されている。
【００１８】
図２に戻って、１１ａ、１１ｂは、棚板５に設けられた棚板係止部であり、棚板５を斜め下から見た図４に示すとおり、棚板５の左右端部近傍であって、側板係止部７ａ、７ｂと対応する位置に設けられている。棚板５は既述のとおり木材によって形成されており、棚板係止部１１ａ、１１ｂは、図３にその断面を示すように、木質の棚板５を一部削り取り、凹所を形成した上に、開口部１４ａ、１４ｂを有する金具１３を取り付けることによって形成されている。その結果、棚板係止部１１ａ、１１ｂは、上方に向かう空間部Ｖを有する開口１４ａ、１４ｂとして形成されている。
【００１９】
再び図２に戻って、１０、１０は係止部材であり、図３にその側面図を、また、図５にその正面図を示すように、側板係止部７ａの開口１２ａと係合する部分１０ａと、棚板係止部１１ａの開口１４ａと係合する部分１０ｂとを備えた断面略Ｎ字型を有しており、側板係止部７ａの開口１２ａと係合する部分１０ａの幅ｎの方が、棚板係止部１１ａの開口１４ａと係合する部分１０ｂの幅ｍよりも狭いように形成されている。側板係止部７ａの開口部１２ａの書架前後方向の幅よりも、係止部材１０の部分１０ａの幅ｎの方が狭いことは言うまでもなく、それにより、係止部材１０の部分１０ａを側板係止部７ａの開口部１２ａ、及び、側板係止部７ｂの開口部１２ｂに、それぞれ係合することができるようになっている。
【００２０】
同様に、係止部材１０の部分１０ｂの幅ｍよりも、棚板係止部１２ａの開口１４ａの書架前後方向の幅の方が広くなっており、図２に示すように、棚板５を図中矢印方向に移動させることによって、棚板係止部１１ａ、１１ｂの開口１４ａ及び１４ｂを、それぞれ、側板係止部７ａ、７ｂの開口部１２ａ、１２ｂに係合している係止部材１０の部分１０ｂと係合させることができるようになっている。これにより、棚板５は側板２ａ、２ｂに対して水平に架設されることになる。
【００２１】
図２において、８は棚板５に設けられた背部であり、この例においては、棚板５の後端部に棚板面から直立して設けられている。ただし、背部８の棚板上の位置は、棚板５の後端部に限られるものではなく、場合によっては棚板５の後端部から適宜の距離をおいた手前側であっても良い。いずれにせよ、棚板５の前端から背部８の前端までの距離Ｙが棚板５の奥行きを形成している。また、背部８の前端から側板２ａの後端までの距離、つまり、背板６までの距離Ｘが、棚板奥行き後端部から書架奥行き後端部までの長さとなる。１５は、棚板５上に載置されることが想定される対象物であり、典型的には単行本や定期刊行物、雑誌等の図書類であるが、必ずしも図書類に限られるものではなく、例えばＣＤやＤＶＤ等であっても良い。ｗは前列の側板係止部７ａと後列の側板係止部７ｂ間の距離であり、ｄは既述のとおり、複数の側板係止部７ａ、７ｂ間の縦方向のピッチである。
【００２２】
本発明の書架においては、棚板奥行き後端部から書架奥行き後端部までの長さＸが、（ｄ／ｗ）×Ｌ以上とされている。このようなＸの長さは、通常の書架における棚板奥行き後端部から書架奥行き後端部までの長さよりも有意に長いものであり、これにより、本発明の書架においては、棚板５を手前上がり傾斜して架設した場合でも、書架の奥行きには十分な余裕があり、図書などの対象物１５の後方上部角部が書架の背板６に当接することがなく、図書などの対象物１５の損傷が防止されるものである。以下、図６及び図７を用いて、棚板５を手前上がりに傾斜して架設する場合について説明する。
【００２３】
棚板５を手前上がりに傾斜して架設するには、後列の側板係止部７ｂに係合している係止部材１０の位置を一段下方にずらし（或いは、前列の側板係止部７ａに係合している係止部材１０の位置を一段上方にずらし）、棚板５を図６に示すように架設し直すだけで良い。係止部材１０の係止部１０ａの幅ｎは、先に述べたとおり、側板係止部７ａ、７ｂの開口１２ａ、１２ｂの側板前後方向の幅よりも狭くなっており、しかも単に側板係止部７ａ、７ｂと係合しているだけであるので、棚板５を斜めに架設して、棚板係止部１１ａ、１１ｂの開口１４ａ、１４ｂを係止部材１０の他方の係止部１０ｂと係合させると、図７に示すように、係止部材１０は、係止部１０ａが側板係止部７ａ、７ｂと係合した状態のまま回転して斜めに傾くことが可能である。その結果、棚板５を斜めに架設しても、係止部１０ｂと棚板係止部１１ａ、１１ｂとの安定した係合が達成されることになる。なお、棚板係止部１１ａ、１１ｂの開口１４ａ、１４ｂの棚板前後方向の幅は、先に述べたとおり、係止部材１０の係止部１０ｂの幅ｍよりも余裕を持たせて広くなっているので、後列の側板係止部７ｂに係合している係止部材１０の位置を一段下方にずらすことにより（或いは、前列の側板係止部７ａに係合している係止部材１０の位置を一段上方にずらすことにより）、前後の側板係止部７ａ、７ｂに係合している２つの係止部材１０、１０間の距離が、両者が水平同一高さにある場合よりも若干長くなっても、棚板係止部１１ａ、１１ｂと係止部材１０、１０との係合は支障なく行われる。
【００２４】
図６、図７に示すように棚板５を手前上がりに傾斜させた状態では、図書などの対象物１５は、当然のことながら書架後方に向かって傾くが、棚板奥行き後端部から書架奥行き後端部までの長さＸが（ｄ／ｗ）×Ｌ以上になっているので、図書などの対象物１５の後方上端角部が書架背板６に当接する恐れはない。
【００２５】
例えば、前列の側板係止部７ａと後列の側板係止部７ｂ間の水平方向の距離ｗが１８０ｍｍ、複数の側板係止部７ａ、７ｂの縦方向のピッチｄが２５ｍｍである場合、図書などの対象物１５としてＡ４版の図書を想定した場合、Ａ４版の図書の縦方向の長さＬは約３００ｍｍであるので、棚板奥行き後端部から書架奥行き後端部までの長さＸは、（２５／１８０）×３００＝約４２ｍｍ以上に設定すれば良いことになる。このようなＸの長さを確保するには、側板２ａ、２ｂの奥行き方向の長さを通常のものよりも長くするのが良いが、例えば、図６に破線で示すように、背部８を棚板５の手前側の８’の位置にずらすことで必要なＸの長さを確保するようにしても良い。なお、Ｘの長さは、（ｄ／ｗ）×Ｌ以上であれば良く、安全性を見込む場合には、Ｘを適宜より長く設定すれば良いことは勿論である。
【００２６】
Ｌとして例えば上記のようにＡ４版の図書の縦方向長さを用いてＸの長さを設定した後に、対象物が、Ａ４版の図書よりも縦方向長さの短い、例えば、ＣＤやＤＶＤなどに変更になった場合で、かつ、棚板奥行き後端部から書架奥行き後端部までの長さＸに余裕がある場合には、後列の側板係止部７ｂに係合している係合部材１０の位置を二段乃至は三段以上下方にずらし（或いは前列の側板係止部７ａに係合している係合部材１０の位置を二段乃至は三段以上上方にずらし）、棚板５の傾斜角度を大きくしても良い。この場合、係合部材１０として、上述のような断面略Ｎ字型の部材を用いることにより、棚板５の傾斜が大きくなっても、断面略Ｎ字型の部材は、前述のとおり、側板係止部７ａ、７ｂと係合しながら傾いて棚板５の傾斜角度に良く追従するので、棚板５を安定して架設することが可能である。このようなことも、係合部材１０として用いる断面略Ｎ字型の部材の特徴である。なお、当初から、棚板を傾斜して架設するにあたり、係止部材１０の位置を二段以上下方または上方にずらすことを想定する場合には、上記の計算式におけるｄの値として、ｄにそのずらす段数を乗じた値を用いて、棚板奥行き後端部から書架奥行き後端部までの長さＸを設定すれば良いことは言うまでもない。
【００２７】
上記の例では、係止部材１０として断面が略Ｎ字型の部材を使用する例について説明したが、本発明で使用する係止部材は上記の例のものに限られない。例えば、側板係止部７ａ、７ｂが雌ねじ又は凹所とし、係止部材１０をその雌ねじと係合螺着される雄ねじ部又はその凹所と嵌合する凸部を端部に有する円筒状部材とし、棚板係止部１１ａ、１１ｂをその円筒状部材の円筒側面と当接する凹所としても良い。また、係止部材１０を棚板係止部１１ａ、１１ｂと一体的に結合させておき、適宜の位置にある側板係止部７ａ、７ｂと係合させるようにしても良い。係止部材１０を棚板係止部１１ａ、１１ｂと一体的に結合させる方法はどのようなものでも良く、螺着、溶接、接着など適宜の方法を採用することができる。
【００２８】
また、上記の例では、棚板５を前上がりに傾斜させる場合について説明したが、本発明の直立型・傾斜型兼用書架においては、これとは逆に棚板５を前下がりに傾斜させ、前下がりの傾斜型書架として使用することも可能である。棚板５を前下がりに傾斜させるには、前上がりに傾斜させる場合とは逆に、後列の側板係止部７ｂに係合している係止部材１０の位置を一段乃至は数段上方にずらすか、或いは、前列の側板係止部７ａに係合している係止部材１０の位置を一段乃至は数段下方にずらせば良い。このように棚板５を前下がりに傾斜させ前下がりの傾斜型書架とすれば、棚板５上に図書等を平置きして展示用の書架として使用することができる。本発明の直立型・傾斜型兼用書架においては、書架の奥行きが通常の書架よりも有意に長いので、多少大きめの図書等であっても、棚板５上に上端を書架奥行き方向に向けて平置きすることが可能である。このとき、棚板５に背部８が設けられている場合には、棚板５の前後を逆にして、背部８のある側が前になるように棚板５を架設するのが良い。このようにすれば、図書等を前下がりに傾斜した棚板５上に平置きしても、図書等が棚板５から落下する恐れがない。
【００２９】
図８は、対象物としてＣＤやＤＶＤなどを想定した場合の本発明の書架１の側面断面図であり、これまでのものと同じものには同じ符号を付してある。本例の直立型・傾斜型兼用書架は、上方の一部が直立型専用になっており、下方の部分だけが直立型・傾斜型兼用書架となっている。本例の書架は、基本的にはＣＤやＤＶＤを対象とするものであるので、Ｌとしては想定されるＣＤやＤＶＤの縦方向の長さを用いて、棚板奥行き後端部から書架奥行き後端部までの長さＸが（ｄ／ｗ）×Ｌ以上になるように設定されている。したがって、棚板５を図示のように傾斜させ、ＣＤやＤＶＤなどの対象物１５を傾斜した棚板５上に載置しても、ＣＤやＤＶＤなどの対象物１５の後方上端角部が書架背板６に当接する恐れはない。また、本例の直立型・傾斜型兼用書架は、傾斜型書架となり得るにも拘わらず、書架１の前後の幅は一定であり、書架底部が前方に広がるということもない。もしも、ＣＤやＤＶＤだけでなくＡ４版までの図書も対象とすることができるようにするのであれば、ＬとしてＡ４版の図書の縦方向の長さを用い、棚板奥行き後端部から書架奥行き後端部までの長さＸを（ｄ／ｗ）×Ｌ以上に設定すれば良いことは勿論である。この図８の例においても、棚板５を前下がりに傾斜させて、ＣＤやＤＶＤなどの対象物１５を前下がりに傾斜した棚板５上に平置きし、展示用の書架として使用することも可能である。
【産業上の利用可能性】
【００３０】
以上のように、本発明の直立型・傾斜型兼用書架によれば、棚板を側板に架設する係止部材の位置を棚板前後で同じ高さにしたり上下にずらして棚板を架設し直すという簡単な操作で、直立型書架を傾斜型書架に、また、傾斜型書架を直立型書架に切り替えることが可能である。また、１つの書架の中に直立型書架と傾斜型書架とを混在させることも可能である。しかも、本発明の直立型・傾斜型兼用書架によれば、棚板奥行き後端部から書架奥行き後端部までの長さが構造上所定の値以上に保たれているので、棚板を傾斜させその上に図書などの対象物を載置した場合でも、対象物の後方上端角部が書架奥行きの壁面等に当接する恐れがなく、図書などの対象物が損傷を受けるのを防止することが可能となるものである。また、棚板を前下がりに傾斜させれば、展示用の書架としても使用可能である。
【００３１】
本発明の直立型・傾斜型兼用書架によれば、棚板をほぼその位置で傾斜状態に架設したり、水平状態に架設したりすることができるので、傾斜型書架となりうるにも拘わらず、書架の前後の幅は一定に保つことができ、書架底部が広がって大きな設置スペースをとったり、通行の妨げとなったりすることがない。このように、本発明の直立型・傾斜型兼用書架は、図書類のみならずその他の書類やＣＤやＤＶＤ等、棚上に保管される種々の対象物を棚上に載置並べるのにその威力を発揮し、その産業界に与える影響には計り知れないものがある。
【図面の簡単な説明】
【００３２】
【図１】本発明の直立型・傾斜型兼用書架の一例を示す斜視図である。
【図２】側板内側から見た側面図である。
【図３】側板と棚板との係合関係を示す断面拡大図である。
【図４】棚板底面から見た斜視図である。
【図５】係合部材の一例を示す正面図である。
【図６】棚板を傾斜状態で架設する状態を示す側面図である。
【図７】棚板を傾斜状態で架設する状態を示す説明図である。
【図８】本発明の直立型・傾斜型兼用書架の他の一例を示す側面図である。
【図９】従来の傾斜型書架の一例を示す図である。
【符号の説明】
【００３３】
１                書架
２ａ、２ｂ        側板
３                底板
４                天板
５                棚板
６                背板
７ａ、７ｂ        側板係止部
８                背部
９ａ、９ｂ        金具
１０              係止部材
１１ａ、１１ｂ    棚板係止部
１２ａ、１２ｂ    開口
１３              金具
１４ａ、１４ｂ    開口
１５              対象物
ｄ                側板係止部ピッチ
ｎ、ｍ            係止部材の幅
ｗ                前後側板係止部間の距離
Ｘ                棚板奥行き後端部から書架奥行き後端部までの長さ
Ｌ                想定される対象物の縦方向長さ
Ｓ、Ｖ            空間部
【図１】
0004746831.tif 000002
【図２】
0004746831.tif 000003
【図３】
0004746831.tif 000004
【図４】
0004746831.tif 000005
【図５】
0004746831.tif 000006
【図６】
0004746831.tif 000007
【図７】
0004746831.tif 000008
【図８】
0004746831.tif 000009
【図９】
0004746831.tif 000010